(57)【特許請求の範囲】
【請求項１】
部屋又は建屋の外部に面して取り付けられる窓枠と、
窓枠に納まり窓を閉めた状態と窓枠から上框を窓枠近くとして下框側が外部へ向って開く障子を有し、
一端が竪枠に壁面に平行し水平な軸心で取り付けられ、
他端が前記軸心よりも上方で竪框の中間部に前記軸心と平行な軸心で枢着されたアームを有する窓の障子閉鎖装置において、
竪枠に沿って移動自在に設けられた第１の連動桿と、
アームの中間に一端が結合されて障子開放状態で見込方向の室内側に延びて他端が第１の連動桿に結合された巻掛伝動媒体と、
第１の連動桿又は第１の連動桿と共に移動する部材に設けられ第１の連動桿を上方に向って付勢する付勢部材を備え、
第１の連動桿を付勢部材の付勢に抗して下方に移動させることで、
巻掛伝動媒体を室内側へ向って解除可能に引張る障子引寄装置と、
を有することを特徴とする障子閉鎖装置。
【請求項２】
第１の連動桿と連結され第１の連動桿を下方に移動して解除可能にロックするハンドル装置を有することを特徴とする請求項１に記載の障子閉鎖装置。
【請求項３】
窓枠の横枠に沿って移動自在に設けられた第２の連動桿と、
竪枠と横枠のコーナーに設けられ各連動桿に結合されて各連動桿を連動するコーナードライブと、
を有することを特徴とする請求項１又は２に記載の障子閉鎖装置。
【請求項４】
コーナードライブは竪枠と横枠との交叉部分に見込方向の軸を中心に回転可能に設けられた滑車と、
第１の連動桿に一端が結合されて垂下して滑車に巻掛けられ横枠に沿って延びて他端が第２の連動桿に結合された巻掛伝動媒体と、
巻掛伝動媒体に張力を加える方向に付勢する付勢部材と、
を有することを特徴とする請求項３に記載の障子閉鎖装置。
【請求項５】
第２の連動桿と連結され障子の下框に設けたラッチと係合可能な位置と、ラッチと係合しない位置とをとるラッチ受けと、
を有することを特徴とする請求項３又は４に記載の障子閉鎖装置。
【請求項６】
ハンドル装置は、
第１の連動桿と連動可能に設けた連動アームと、
連動アームの一方向の行程端において連動アームをロックするロック装置と、
第１の連動桿に嵌合して前記一方向と同方向に向う際に第１の連動桿を移動する駒を出力端とする直動部材と、
一端が竪枠側に回動自在な回動軸でもって支持され、
竪枠側に沿って収納される収納位置と、収納位置から回動して第１の連動桿を一方向に移動する回動方向に回動力を加える位置とをとるハンドルと、
回動軸の回転を駒の直線運動に変換する運動変換部材と、
を有し、
ハンドルを収納位置から回動すると、運動変換部材を介し駒が移動して第１の連動桿を移動し、ハンドルを戻すと第１の連動桿は付勢部材に付勢されて復元することを特徴とする請求項２に記載の障子閉鎖装置。
【請求項７】
ロック装置は、
連動アームに設けた穴又は凹部に抜くことを可能に嵌合して連動アームをロックするピンを有することを特徴とする請求項６に記載の障子閉鎖装置。
【請求項８】
収納状態のハンドル先端と係脱可能なノッチを有するノッチ装置を連動アームに備え、ロック装置の解除と共にノッチがハンドルより離れることを特徴とする請求項６又は７に記載の障子閉鎖装置。
【請求項９】
ノッチがハンドル先端を係止している際、ハンドル背部をばね力で加圧し、ノッチがハンドルより離脱するとハンドルを押し出すプッシャーを備えたプッシュ装置を有することを特徴とする請求項８に記載の障子閉鎖装置。
【請求項１０】
竪枠表面に設けたハンドルを収納するハンドル収納部であって、収納状態のハンドルの後端側につづいてハンドル先端よりも反対方向に開口部を有するハンドル収納部を有し、前記開口部を閉止するふさぎであって付勢部材により竪枠内より竪枠外側に向って付勢されていてハンドルがハンドル収納部に収納されている際前記開口部を閉塞し、ハンドルが回動する際にハンドルに押されて竪枠内に移動するふさぎを有する請求項６から９の何れか１つに記載の障子閉鎖装置。
【発明の詳細な説明】
【技術分野】
【０００１】
本発明はすべり出し窓、突き上げ窓、自然風力換気窓等の開窓時窓枠から外部へ突き出したアームで支持される窓の障子閉鎖装置及び窓に関する。ここで自然風力換気窓とは内気の状態と外気により生ずる障子に加わる風力の状態によって自然に障子が開閉して換気が行われる窓のことをいう。
【背景技術】
【０００２】
突き上げ窓は窓枠の竪枠にピンで障子の上部が枢着されて、外へ突き出される。障子の竪框にピンで上端が枢着されたアームの下端はアームに設けた長穴が竪枠に設けたピン又はローラに嵌合している。
【０００３】
この障子を開閉するために一端が下框にボールジョイントで枢着されたロッド、一端が垂直方向の軸で開閉駆動装置に連結されたアームの夫々の他端をボールジョイントで連結したくの字アームが設けられている。
【０００４】
このようにくの字アームにより障子を室内側へ引き寄せながら、ロック機構にて閉鎖する。また、障子開放はロック機構を解除してからくの字アームを延ばすことによる。障子開閉装置は開閉駆動装置を窓枠の下枠に室内側に出張るように設けている。
【０００５】
従って、くの字アームが常時露出しているため意匠性に欠ける。かつくの字アームは汚れやすく清掃し難い。開閉駆動装置は下枠から室内側へ出張るので、部屋に突出物が突出してしまう形となる。従って、窓にくの字アームと開閉駆動装置を用いると、連設される窓から突出物が室内側に並列するので室内全体の意匠を損ねる。また、自然風力換気窓では障子開閉装置は障子開放時は障子の開閉を邪げてはならないのでくの字アームを解除するか開閉駆動装置をくの字アームと切り離し不作動とする必要がある。  
【０００６】
窓枠内にくの字アームがあるのでルーバ、ブラインドを設けたとしても下枠までルーバ、ブラインドを下せない。カーテンを設けると、裾が開閉駆動装置によりふくらんでしまい、カーテンの意匠を害する。
【０００７】
上記のようなくの字アームを用いた障子開閉装置は回転すべり子機構を用いたすべり出し窓においても同様に用いられている。
【０００８】
自然風力換気窓では無風で開窓し、正圧（外部側から窓に向って吹く風により障子に加えられる圧力）の風で閉窓する。しかし、強風で風力の消長が激しくなると障子は正圧の風で急速に閉る。また、負圧の風で障子は急速に開く。特に障子が急速に閉るときの発生音が大きい。そこで、通常は自然風力換気窓として機能可能とすると共に上記強風時には障子を閉鎖しておく障子閉鎖装置が設けてある。
【特許文献１】特開２００４−６８４６０号公報
【発明の開示】
【発明が解決しようとする課題】
【０００９】
そこで、突き上げ窓、すべり出し窓、自然風力換気窓等のアームを用いて障子を支持する窓において、意匠上すぐれると共に室内側へ出張ることがなく、障子閉鎖状態において機構部が見えず窓枠と障子のみが見える障子閉鎖装置を提供することを目的として本発明者は更に開発をして更なる障子閉鎖装置を開発した（特願２００６−１７５１７３号明細書）。
【００１０】
この未公開の先行発明は竪枠に対して竪枠に沿って移動可能に設けられたスライドと、スライドに取り付けられてアームと係合しスライドが上昇するにつれてアームを引き寄せるアーム引寄せ装置と、を有し、
アーム引寄せ装置を竪框と竪枠間に設けた障子閉鎖装置である。
【００１１】
そして、アーム引寄せ装置はスライドに水平軸で回転自在に支持され、端部にアームの外側に係合する引っ掛け部材を有するリンクと、竪枠に固定されリンクに接触し、スライドが移動する際にリンクの運動を引っ掛け部材が内外部方向に移動するように規制する規制ブロックと、を有する。
【００１２】
ところが、アームに加わる力、アームと規制ブロック間に生ずる接触圧を低くすることに設計上の制約がある。
【００１３】
本発明は各部に小さな力しか生じない障子閉鎖装置及び障子閉鎖装置を有する窓を提供することを目的とする。
【００１４】
この未公開の先行発明は前記スライドに固定され竪枠に沿って移動自在に竪枠に案内される竪枠側ガイドバーと、下枠に沿って移動自在に下枠に沿って下枠に案内される下枠側ガイドバーと、竪枠と下枠のコーナーに沿って移動自在に設けられ一端が竪枠側ガイドバーに連結され他端が下枠側ガイドバーに連結された可撓性部材を有するコーナードライブと、を有する。このコーナードライブは周知のものである。可撓性部材を採用している。この可撓性部材はコーナーにおいて端部が直角方向を向いており、中間部がほぼ円弧形である。
【００１５】
このような可撓性部材はガイド部材で案内されないと不定に彎曲して、可撓性部材両端の変位が不動に異なる。また、可撓性部材をガイド部材で案内すると、可撓性部材とガイド部材との間で大きな摩擦力発生し、大きな抵抗となる場合がある。
【００１６】
本発明はコーナー両側における竪枠側のスライドバーと横枠側ガイドバーの変位が常に同一であると共に摩擦抵抗の小さな且つ組立性がよいコーナードライブを有する障子閉鎖装置及び障子閉鎖装置を有する窓を提供することを目的とする。
【００１７】
従来、窓を閉めた際に窓をロックするのに締りハンドルが用いられている。締りハンドルは室内側へ突出しているので意匠上好ましくない。
【００１８】
本発明は操作性にすぐれると共に意匠上すぐれたハンドル装置及びハンドル装置を有する窓を提供することを目的とする。
【課題を解決するための手段】
【００１９】
本発明の第１の発明は部屋又は建屋の外部に面して取り付けられる窓枠と、窓枠に納まり窓を閉めた状態と窓枠から上框を窓枠近くとして下框側が外部へ向って開く障子を有し、
一端が竪枠に壁面に平行し水平な軸心で取り付けられ、他端が前記軸心よりも上方で竪框の中間部に前記軸心と平行な軸心で枢着されたアームを有する窓の障子閉鎖装置において、
竪枠に沿って移動自在に設けられた第１の連動桿と、アームの中間に一端が結合されて障子開放状態で見込方向の室内側に延びて他端が第１の連動桿に結合された巻掛伝動媒体と、第１の連動桿又は第１の連動桿と共に移動する部材に設けられ第１の連動桿を上方に向って付勢する付勢部材を備え、
第１の連動桿を付勢部材の付勢に抗して下方に移動させることで、
巻掛伝動媒体を室内側へ向って解除可能に引張る障子引寄装置と、
を有することを特徴とする障子閉鎖装置である。
【００２０】
本発明に係る第２の発明は第１の連動桿と連結され第１の連動桿を下方に移動して解除可能にロックするハンドル装置を有することを特徴とする請求項１に記載の障子閉鎖装置である。
【００２１】
本発明に係る第３の発明は窓枠の横枠に沿って移動自在に設けられた第２の連動桿と、竪枠と横枠のコーナーに設けられ各連動桿に結合されて各連動桿を連動するコーナードライブと、を有することを特徴とする請求項１又は２に記載の障子閉鎖装置である。
【００２２】
本発明に係る第４の発明はコーナードライブは竪枠と横枠との交叉部分に見込方向の軸を中心に回転可能に設けられた滑車と、
第１の連動桿に一端が結合されて垂下して滑車に巻掛けられ横枠に沿って延びて他端が第２の連動桿に結合された巻掛伝動媒体と、
巻掛伝動媒体に張力を加える方向に付勢する付勢部材と、
を有することを特徴とする請求項３に記載の障子閉鎖装置である。
【００２３】
本発明に係る第５の発明は第２の連動桿と連結され障子の下框に設けたラッチと係合可能な位置と、ラッチと係合しない位置とをとるラッチ受けと、
を有することを特徴とする請求項３又は４に記載の障子閉鎖装置である。
【００２４】
本発明に係る第６の発明はハンドル装置は、第１の連動桿と連動可能に設けた連動アームと、
連動アームの一方向の行程端において連動アームをロックするロック装置と、
第１の連動桿に嵌合して前記一方向と同方向に向う際に第１の連動桿を移動する駒を出力端とする直動部材と、
一端が竪枠側に回動自在な回動軸でもって支持され、
竪枠側に沿って収納される収納位置と、収納位置から回動して第１の連動桿を一方向に移動する回動方向に回動力を加える位置とをとるハンドルと、
回動軸の回転を駒の直線運動に変換する運動変換部材と、を有し、
ハンドルを収納位置から回動すると、運動変換部材を介し駒が移動して第１の連動桿を移動し、ハンドルを戻すと第１の連動桿は付勢部材に付勢されて復元することを特徴とする請求項２に記載の障子閉鎖装置。
【００２５】
本発明に係る第７の発明はロック装置は、
連動アームに設けた穴又は凹部に抜くことを可能に嵌合して連動アームをロックするピンを有することを特徴とする請求項６に記載の障子閉鎖装置である。
【００２６】
本発明に係る第８の発明は収納状態のハンドル先端と係脱可能なノッチを有するノッチ装置を連動アームに備え、ロック装置の解除と共にノッチがハンドルより離れることを特徴とする請求項６又は７に記載の障子閉鎖装置である。
【００２７】
本発明に係る第９の発明はノッチがハンドル先端を係止している際、ハンドル背部をばね力で加圧し、ノッチがハンドルより離脱するとハンドルを押し出すプッシャーを備えたプッシュ装置を有することを特徴とする請求項８に記載の障子閉鎖装置である。
【００２８】
本発明に係る第１０の発明は竪枠表面に設けたハンドルを収納するハンドル収納部であって、収納状態のハンドルの後端側につづいてハンドル先端よりも反対方向に開口部を有するハンドル収納部を有し、前記開口部を閉止するふさぎであって付勢部材により竪枠内より竪枠外側に向って付勢されていてハンドルがハンドル収納部に収納されている際前記開口部を閉塞し、ハンドルが回動する際にハンドルに押されて竪枠内に移動するふさぎを有する請求項６から９の何れか１つに記載の障子閉鎖装置である。
【発明の効果】
【００２９】
請求項１に係る発明によれば巻掛伝動媒体のアームとの結合位置を広い範囲に選択できるので、障子開閉のための巻掛伝動媒体の移動する長さ及び巻掛伝動媒体に加わる張力を適当に選択できる。巻掛伝動媒体は見込方向に引くだけでアームを引けるのでリンク装置によりアームを引くのに比べて部分的に大きな力が加わる物がない。巻掛伝動媒体の移動量を小さく選べるので設計の自由度が大きい。障子の開閉は巻掛伝動媒体がアームを引く力を第１の連動桿に加えればよい。
【００３０】
請求項２に係る発明によれば第１の連動桿を作動させるハンドル装置、を小さく設計できる。
【００３１】
請求項３に係る発明によれば、コーナードライブを小さく設計できる。
【００３２】
請求項４に係る発明によれば第1、第2の連動桿の間の運動方向変換が効率よく行われる。
【００３３】
請求項５に係る発明によればラッチ受けを移動させる部材を小さくできる。
【００３４】
請求項６に係る発明によればハンドルを収納位置から作動して連動桿を一方向に引いてロックした後に、ハンドルを収納位置に戻すことができる。ロック装置を解除すると、連動桿は付勢部材で他方向に向って移動するがハンドルはほぼ収納状態(人の指を掛け得る程度外側に出ている)のままである。そして、その後にハンドルを収納位置近くから引いて同様に連動桿を一方向に引けるので操作性にすぐれる。
請求項７に係る発明によれば、連動アームを付勢部材に抗してロックし、またロックを解除するのが簡単である。
請求項８に係る発明によればハンドルを収納状態としたときに、ハンドルを操作できず、ロックを解除して初めてハンドルを操作できる。
【００３５】
請求項９に係る発明によればロック解除と共にハンドルが押し出されるので操作性がよい。
【００３６】
請求項１０に係る発明によれば開口部は常に閉塞されているので、異物を誤って開口部内へ入ったりすることがない。
【実施例】
【００３７】
以下、図面を用いて本発明の適用される実施例を説明する。
【００３８】
先ず、本発明の適用される自然風力換気窓について説明する。
【００３９】
この実施例は左右対称の２連窓に適用した列を示している。図４では右側の窓は図略してある。実施例の説明は主として図４の左側の窓についてのべる。竪枠、方立、方立に取り付けるガイド部材、カバーは何れも竪方向の枠材である。この竪方向の枠材は竪枠と共通の名称でくくることができる。方立は左右の窓に共用される竪枠である。
（全体構成）
図４、図５は窓枠を内部側より見る正面図である。この自然風力換気窓（以下、窓という）Ｘは建屋の外部に面して取り付けられる窓枠１と、窓枠１に納まり窓を閉めた状態と窓枠１から外部へ向って開く障子２を有する。これらはアルミ押出型材を主たる材料として構成されている。窓枠１の両側の竪枠１１又は方立１１Ａ（以下、特に区分を必要としない限り、方立１１Ａも竪枠１１と称す）夫々と障子２の竪框２１間にはメインアーム３とサブアーム４が配設されている（図１、図２参照）。メインアーム３は竪框２１上部の側面に一端が枢着され、他端が前記一端よりも低い位置において竪枠１１、方立１１Ａに枢着されている。メインアーム３は短い。サブアーム４は竪框２１の中間部の側面に一端が枢着され、他端は竪枠１１、方立１１Ａの下端に枢着されている。サブアーム４はメインアーム３よりも長い。
【００４０】
上記窓枠１、障子２、メインアーム３、サブアーム４でもって夫々をリンクとする四節連鎖機構を構成している。
【００４１】
サブアーム４と方立１１Ａの背部間にはサブアーム引寄せ装置６が配設されている。障子２の下框２３と下枠１３の間との間には障子２を締切るためのラッチ装置２０Ｒが設けてある。
【００４２】
この窓は操作部材であるハンドル装置２５のプッシュボタン１４０を押すと障子２が開くことが出来る。これによって障子２は力学的なバランスにより後述するように外方に開く。そして、風により生ずる障子２の内外面に加わる風圧差によって障子２は開度を自動的に変える。ハンドル装置２５の詳細は後述する。
（窓枠の構成）
図４、図５に示すように窓枠１は左右の竪枠１１、方立１１Ａ、上枠１２、下枠１３を四方組みしたものであって建屋の外部に面して躯体に取り付けられる。また、障子２は左右の竪框２１、上框２２、下框２３を四方組みした四方框にガラスＧを固定してある。障子２はメインアーム３、サブアーム４を介して竪枠１１、方立１１Ａに取り付けられている。
【００４３】
アルミ押出し型材の方立１１Ａと竪框２１は図６に断面が示されている。図６は窓の方立部分の水平断面図である。方立１１Ａは内周材１１ａの外部側先端にパッキン４６を保持する断面溝形の条溝１１ｂを有する。内周材１１ａの内部側は壁面に平行な板材１１ｃを有する。内周材１１ａと板材１１ｃの角は欠角とされアタッチ材となったカバー１１ｎが係合する欠角条溝１１ｇとなっている。板材１１ｃの中央から外部側へ突出する高さの大きい突条１１ｄの先端にはパッキン４９を嵌合する条溝１１ｅが設けてある。パッキン４９は障子２を閉めた際に障子２の竪框２１のパッキン当り部２１ｆにパッキン４９の弾力でもって接する。板材１１ｃ、板材１１ｃに平行する板材１１ｐ及び板材１１ｃ，１１ｐを結合する板材１１ｆでもって中空部１１ｈを設けてある。板材１１ｆは内周材１１ａよりも方立１１Ａ内側に設けられ、条溝１１ｊを構成している。板材１１ｐに突条１１ｉが室内側に向って立上っている。
【００４４】
アルミ押出し型材のカバー１１ｎは欠角条溝１１ｇ及び板材１１ｐの縁１１ｑに係止されている。カバー１１ｎは断面コ字形であって方立１１Ａと同幅である。方立１１Ａ、カバー１１ｎは図５に示すように窓Ｘよりも下方の床ＦＬに達しており、併せて竪枠の一種をなしている。
【００４５】
竪框２１は内周材２１ａ、外周材２１ｂ、室内側の内面材２１ｃ、室外側の外側内面材２１ｄを方形にして中空部２１ｅを形成している。なおここで内面材とはガラスＧよりも内面にある材を意味している。外側内面材２１ｄは外周へ向ってのびパッキン当り部２１ｆを有する。パッキン当り部２１ｆは障子２が閉った際にパッキン４９と接して方立の場合の水密を計る。
【００４６】
図７は窓Ｘを見込方向の垂直面で切った断面図である。パッキン４６を取り付けるための方立１１Ａの条溝１１ｂは窓枠１の上枠１２、下枠１３に設けた同様の条溝１２ｃ，１３ｃと併せて外部側より見て方形に囲繞されている。そして各条溝１１ｂ，１２ｃ，１３ｃを通じてパッキン４６が嵌合している。そこで障子２を閉めると障子２の竪框２１、上框２２、下框２３の室内に面する内面材２１ｃ，２２ａ，２３ａがパッキン４６に当接する。これによって障子２と窓枠１間の気密が計られる。内面材２１ｃ，２２ａ，２３ａは障子２を閉めた際に壁面に平行な一平面上にある。
【００４７】
障子２は内面材２１ｃ，２２ａ，２３ａよりも外部側で内部側を向いた外側内面材２１ｄ，２２ｂを有する。これらは障子２を閉めた際に壁面に平行な一平面上にある。
【００４８】
障子２を閉めた際に上框２２の外側内面材２２ｂに当接するパッキン４９が上枠１２の戸当り材１２ｂに設けた条構１２ｄに嵌合している。条構１１ｅ，１２ｄは見込方向から見て門形であり、パッキン４９も同様に配設されている。
【００４９】
障子２を閉めた際はパッキン４９に障子２の竪框２１、上框２２の外側内面材２１ｄ，２２ｂが当接することにより障子２を閉めた際の水密を計っている。上記のように門形に密封することにより窓枠１と障子２間の雨水等の浸入防止を計っている。
【００５０】
障子２を閉めると障子２の竪框２１の外周材２１ｂ、外側内面材２１ｄのパッキン当り部２１ｆと方立１１Ａの内周材１１ａ、板材１１ｃ、突条１１ｄで囲まれた上下方向に長い空間Ｓが出来る。この空間Ｓにメインアーム３、サブアーム４が収容される。空間Ｓは下框２３と下枠１３間の空間Ｓ２を介して外部側に通じている。  
【００５１】
図７に示すように下枠１３は下枠本体１３Ａにアタッチ材となった付加下枠１３Ｂを有する。これらは何れも竪枠１１、方立１１Ａに衝接固定される。即ち、下枠１３と竪枠１１、方立１１Ａは竪方向部材勝に仕口が構成されている。方立１１Ａは窓Ｘよりも下方へ延在する。方立１１Ａの下方へ延在する部分の内部側より見る正面は壁面ＷＡ（図５参照）である。尚、窓Ｘの下に他の窓を連結し、段窓にすることもできる。
【００５２】
図６に示すようにカバー１１ｎはコ字形断面である。カバー１１ｎを方立１１Ａに取り付けるにはカバー１１ｎをわずかに斜めにはほぼ垂直にして室内側より外方へ向って板材１１ｐの縁１１ｑに押し込むと、縁１１ｑは丸められているので嵌合縁１１ｋ，１１ｋ間が縁１１ｑ，１１ｑにより拡大され、嵌合縁１１ｋに設けた突条１１ｋ１が縁１１ｑを乗り越えるので縁１１ｑは嵌合縁１１ｋの傾斜部１１ｋ２に当る。そこでそのままカバー１１ｎを外方へ押すと傾斜部１１ｋ２の終端が縁１１ｑの外部側に嵌合すると共に嵌合縁１１ｋの先端は方立の欠角条溝１１ｇに嵌合する。
【００５３】
そのままカバー１１ｎが垂直になるように押し込むとカバー１１ｎは方立１１Ａに係止される。
【００５４】
図７に示す付加下枠１３Ｂは下枠本体１３Ａに嵌合部１３ａで嵌合している。付加下枠１３Ｂには上方に向って開口する条溝１３ｂが設けてある。この条溝１３ｂには後述する連動桿が条溝１３ｂに沿って移動自在に嵌合する。
【００５５】
サブアーム４は障子２を閉めた状態で空間Ｓに納められている。サブアーム引寄せ装置６はカバー１１ｎ内に収容されている。
（ガラスの取付構成）
図７に示すようにガラスＧは障子２の上框２２、下框２３の外側の外側材２２ｄ，２３ｂの内部側の上下に対向したガラス溝４０に嵌まり込んで、ガラス台４１上に置かれ、ガラスＧの内外面と上框２２、下框２３に圧入されたシール材４２により上框２２、下框２３に固定されると共に密封されている。なお、竪框２１と方立１１Ａ、図示されない竪枠１１との間はガラスＧの縁と外側内面材２１ｄ（２１ｆ）の間に配設され、ガラスＧ及び外側内面材２１ｄ（２１ｆ）に接着固定されたシール材４２によりガラスＧの縁が竪框２１と竪枠側の竪框に固定されている。
（メインアームの取付構成）
メインアーム３は空間Ｓ内に設けられる。
【００５６】
図１、図２に示すように障子２の竪框２１の端部上にはメインアーム取付具１４が固定してある。その取付具１４は竪框２１の外周材２１ｂに当接する。
【００５７】
メインアーム取付具１４の上下方向の部材には壁面に平行な水平方向の中心線上にピン１７が固定されている。ピン１７にはメインアーム３の上端部の穴が回転自在に嵌合している。
【００５８】
ここで、メインアーム取付具１４はステンレス鋼製でできている。
【００５９】
メインアーム３の下部はメインアーム枠側取付具１８を介して竪枠１１、方立１１Ａに枢着されている。この取付具１８は方立１１Ａでは突条１１ｄに当接して方立１１Ａに固定されている。竪枠１１では突条１１ｄと相当位置にある竪枠１１の内周材（図示されない）に固定されている。
メインアーム枠側取付具１８に固定された壁面に平行で水平方向の軸心を持つピン２６にメインアーム３の下部の穴が回転可能に嵌合している。
【００６０】
上記においてメインアーム枠側取付具１８、ピン２６はステンレス鋼製である。
【００６１】
（緩衝ストッパー）
本例では障子２が閉っている際に、障子２の開きを容易にし、強風で閉ろうとする障子２の衝撃を緩和する緩衝ストッパーが設けてある。図１、図２に示すようにメインアーム３の下方すぐ下にはメインアーム３に平行するアーム１５ｅを有する緩衝ストッパー１５が縦枠１１及び方立１１Ａに取り付けてある。
【００６２】
図８、図９、図１０は緩衝ストッパー１５を示し、図８は側面図、図９は正面図、図１０は平面図である。
方立１１Ａの突条１１ｄに小ねじ１５ａで固定された枠側ブラケット１５ｂには軸１５ｃが回転可能に設けてある。軸１５ｃは壁面に平行且つ水平方向を向いている。軸１５ｃに外挿されたねじりコイルばね１５ｄは一端が軸１５ｃに係止され他端は枠側ブラケット１５ｂに固定されている。ねじりコイルばね１５ｄは枠側ブラケット１５ｂの壁面に平行で水平方向の円穴１５ｂ１に嵌入している。軸１５ｃに根本が固定されたアーム１５ｅの先端には戸当りローラ１５ｆが回転自在に設けてある。アーム１５ｅは図８において反時計回りにばね１５ｄにより付勢されている。
【００６３】
図８においてアーム１５ｅ、戸当りローラ１５ｆが２点鎖線の状態においてはねじりコイルばね１５ｄは自由状態である。障子２が閉ってくると戸当りローラ１５ｆに障子２の竪框のパッキン当り材２１ｆが当接し、障子２が閉るにつれてアーム１５ｅは図８において室内側（右方）へ移動し、障子２が完全に閉ると実線の位置となる。このとき、この緩衝ストッパー１５は空間Ｓ内に納まっている。
【００６４】
後述するように、サブアーム引寄せ装置６が解除されると障子２は自由に開けるが、このとき緩衝ストッパーがあるので障子２の開き始めに作用して仮に障子２の窓枠１への固着等があっても、開き始めのきっかけを与える。また、強風時に障子２が急速に閉じようとすると戸当りローラ１５ｆが障子２のパッキン当り材２１ｆに当り、ねじりコイルばね１５ｄを次第に締め込むので強風時にバタンという障子の閉止音は緩和される。
【００６５】
（サブアーム取付構成）
図１、図２に示すように障子２の竪框２１の中間部分にはほぼたんざく状のサブアーム障子側取付具２８が取り付けてある。この取付具２８は竪框２１の外周材２１ｂに当接し、取付具２８の穴を挿通する小ねじ２８ａを竪框２１を挿通して外周材２１ｂの裏側に設けた不図示の当板にねじ込み固定されている。当板はステンレス鋼製である。
【００６６】
取付具２８にサブアーム４の上端部が当接している。サブアーム４の上端部の穴を挿通してピン３１がサブアーム障子側取付具２８にねじ込まれている。ピン３１にはサブアーム４の上端が回転自在に嵌合している。
【００６７】
竪枠１１、方立１１Ａの下部においてサブアーム枠側取付具３２が内周材（方立の突条１１ｄ）、に当接している。この取付具３２の穴を挿通する小ねじ３２ａは竪枠側では内周材を貫通して内周材の背面に設けた不図示の当板にねじ込まれている。方立１１Ａ側では突条１１ｄの両側に夫々サブアーム取付具３２を当接して、一方のサブアーム取付具３２、突条１１ｄを貫通する小ねじを他方のサブアーム取付具３２にねじ込み固定してある（何れも図示されない）。
【００６８】
サブアーム枠側取付具３２は壁面に平行な水平方向の中心線でもってピン３２ｂを一体に有する。ピン３２ｂにはサブアーム４の下端の穴が回転自在に嵌合している。
【００６９】
サブアーム４が外部側へ回動した際の回動限度を定めるために、サブアーム４が当接してそれ以上回転しないようにストッパー３４が設けてある。このストッパー３４はサブアーム枠側取付具３２に一体又は溶着されており、サブアーム４の回動軌跡上へ突出している。
【００７０】
（メインアーム、サブアームの取付位置）
本実施例のメインアーム３、サブアーム４の取付位置について説明する。
【００７１】
図５２、図５３は摸式的に示す自然風力換気窓の見込方向縦断面図であり、図５２は障子２が閉じた状態、図５３は障子２が開いた状態を示す。
【００７２】
力学的に説明するため、既述したピン１７はメインアーム障子側支点３ａ、ピン２６はメインアーム枠側支点３ｂ、ピン３１はサブアーム障子側支点４ａ、ピン３２bはサブアーム枠側支点４ｂと表現する。
【００７３】
図５２に示すように障子２が閉じられている際は、障子２は直立している。そのときの障子２の重心ＣＧは障子の上下方向のほぼ中心、ガラス面の室内側寄りにあり、この重心をとおり、壁面に平行な垂直平面ＰＬ上にメインアーム障子側支点３ａ、サブアーム障子側支点４ａが位置する。そして、前記平面よりも室内側にメインアーム枠側支点３ｂ、サブアーム枠側支点４ｂが位置する。ここで、メインアーム３が前記平面ＰＬとなす角をθ１、サブアーム４が前記平面ＰＬとなす角はθ２である。障子側支点３ａ，４ａを中心として平面ＰＬから反時計回りの夫々のアーム３，４のなす角を正角とすると、角θ１，θ２を正角とする。障子側支点３ａ，４ａが障子重心をとおる平面ＰＬよりも外部側にあっても差支えはないが、枠側支点３ｂ，４ｂは室内側になければならない。上述において、角度θ１，θ２は何れも小さくθ１＞θ２である。
【００７４】
本例では障子２の重心ＣＧはメインアーム障子側支点３ａ、サブアーム障子側支点４ａよりも下方にある。このため、障子２が開いた状態におけるサブアーム４とサブアーム障子側支点４ａをとおる垂線のなす角α２を小さくとれる。
【００７５】
ここで、障子２が閉まった状態において障子２を開こうとする力についてみると、平面ＰＬ上に障子側支点３ａ，４ａがある条件では障子２の重量Ｗは支点３ａ，４ａには夫々Ｗ／２が加わる。そこで、支点３ａに加わる荷重Ｗ／２をメインアーム３に沿う力とメインアーム３に直交する力に分解すると、メインアーム３に直交するする力はＷ／２・ｓｉｎθ１となる。メインアーム３の長さ（支点３ａ，３ｂ間の距離のこと）をＬ１とすると、障子２の荷重によりメインアーム３を枠側支点３ｂを中心にして外部側へ回転しようとするモーメントＭ１＝Ｌ１・Ｗ／２・ｓｉｎθ１となる。また、支点４ａに加わる荷重Ｗ／２をサブアーム４に沿う力とサブアーム４に直交する力に分解すると、サブアーム４に直交する力はＷ／２・ｓｉｎθ２となる。サブアーム４の長さ（支点４ａ，４ｂ間の距離のこと）をＬ２とすると、障子２の荷重によりサブアーム４を枠側支点４ｂを中心にして外部側へ回転しようとするモーメントＭ２＝Ｌ２・Ｗ／２・ｓｉｎθ２となる。
【００７６】
障子２が開くと、メインアーム３、サブアーム４は枠側支点３ｂ，４ｂを中心にして反時計回りに回動して夫々ストッパー１８ａ，３４に当接して停止し、図２、図５３（図５３ではストッパーは図略）の位置となる。この無風状態では換気が行われる。
【００７７】
障子２が開いてストッパー１８ａ，３４にメインアーム３、サブアーム４が当接した状態での力の均衡は次のとおりである。メインアーム障子側支点３ａとサブアーム障子側支点４ａとの水平距離をＡ、障子重心ＣＧとメインアーム障子側支点３ａとの水平距離をＢとすると、サブアーム４の障子側支点４ａに加わる垂直荷重をＰ２として、Ｐ２−Ｐ１＝Ｗ、Ｐ２・Ａ＝ＢＷであるから、Ｐ２＝（Ｂ／Ａ）・Ｗとなる。また、メインアーム障子側支点３ａには障子２の重量に基づいて上向きの力が加わる。上向きの垂直荷重Ｐ１＝Ｗ・（Ｂ−Ａ）／Ａである。そこで、この荷重Ｐ１のメインアーム３に直交する成分はメインアーム障子側支点３ａを頂点とするメインアーム３と垂線のなす角をα１とすると、Ｐ１・ｓｉｎα１＝（Ｗ・（Ｂ−Ａ）／Ａ）・ｓｉｎα１
そこで、障子２の上側はメインアーム枠側支点３ｂを中心としてＭ３＝（Ｗ・（Ｂ−Ａ）／Ａ）・ｓｉｎα１・Ｌ１なるモーメントが働き障子２の上側を閉めようとする力が生じている。
【００７８】
ここでサブアーム障子側支点４ａには障子２の重量に基づいて生ずる荷重は下向きであるのでサブアーム４には反時計回りのモーメントＭ４が生じ障子２が開く方向に働く。
【００７９】
障子２を開こうとするモーメントＭ４は力Ｐ２の方向とサブアーム４のなす角をα２とすると、Ｍ４＝Ｐ２・ｓｉｎα２・Ｌ２ここで、Ｌ２はサブアーム４の支点４ａ，４ｂ間の距離である。そして、Ｍ３＜Ｍ４となるように設定されており、且つこれらの差を小さなものとしてある。それ故、無風時は、障子２が開いた状態で障子２が閉まる方向へ移動しないようになっている。
【００８０】
上述のような点を勘案してメインアーム３、サブアーム４の長さ、支点３ａ，３ｂ，４ａ，４ｂ位置を設定する。
【００８１】
このような設定により、無風時に障子２は閉めた位置から自然に緩やかに開く。そして、例えば、障子２の外部側から障子２面に交叉方向から風が吹き付けると風圧によって障子２は閉まる。その閉まり方は、図５３においてメインアーム３が枠側支点３ｂを中心にして時計回りに回動し、サブアーム４は枠側支点４ｂを中心に時計回りに回動するものである。そこで、強い風であると障子２は閉ってしまう。然し乍ら微風の際は障子２は少し開いた状態であって外気は室内側へ吹き込む。この微風によっても障子２が閉まるのは、支点４ａが障子重心ＣＧよりも上にあって前記角α２が小さく、且つ、障子２の全面に加わる風力が室内側へ向う力となるためである。なお、且つメインアーム３が室内側へ向って回動しようとする釣合状態であるためである。
【００８２】
障子２は開閉装置を付さないでも、窓の風力等で自然に開閉換気するものである。
【００８３】
このような自然風力換気窓では暴風時は突風が吹き、外部側より室内側に向って障子２に急激な正圧が働いたり、風向きが変わって急に障子２に上記と逆に負圧が加わり閉まっている障子が急激に開いてしまうことが起る。そこで、暴風時とか強風時に備えて自然換気動作を邪げない障子閉鎖装置を設ける必要がある。
【００８４】
上述したサブアームを引き寄せることは障子閉鎖装置として有効である。サブアーム引き寄せ装置は
・  サブアームを引き寄せるだけで障子２を閉めることができる。
・  サブアームを引き寄せる際に引き寄せ力を加える位置を選択できるので引き寄せ力と引き寄せ行程を選択でき設計の融通性がある。従来例のように障子の下框を引き寄せると大きな行程が必要となる。
・  障子の竪框と窓枠の竪枠間に納めることができるので窓の美観を障子閉鎖装置によって損なわれない。
・  一棟の建物に対して多数の自然風力換気窓を設ける場合を考慮すると、障子を付された窓枠に対して障子閉鎖装置を総て工場で取り付けられるので生産性が高い。
（サブアーム引寄せ装置）
サブアーム引寄せ装置は図１１から図１４に主要部が示されている。    
【００８５】
本例のサブアーム引寄せ装置６は方立１１Ａに設けられ方立１１Ａの両側の障子２，２を同時に閉めることができる。
【００８６】
方立１１Ａに配した竪方向に長い第１の連動桿５は後述の下方に設けるハンドル装置と連結されている。連動桿５を上下動自在に案内するガイド溝３５ａを備えたアルミ押出型材のガイド部材３５が方立１１Ａの板材１１ｐ、突条１１ｉに当接して方立１１Ａに固定されている。ガイド溝３５ａはガイド部材３５と一体の突条３５ｂと、ガイド部材３５に設けた条溝３５ｃに嵌着固定した案内ガイド条材３５ｄ（固定方法は図示されない）でもって広幅のＴ溝として構成されている。
【００８７】
連動桿５はガイド溝３５ａに滑合するガイド部５ａと条溝３５ｃの開口部からわずかに外方へ出た平板状の他部材を取り付けるための取付部５ｂを有する。
【００８８】
図１１に示すようにサブアーム４の長手方向のほぼ中間部には方形板状のワイヤー連結金具７が小ねじ７ａにより固定されている。
【００８９】
図１６、図１７にワイヤー固定金具を示す。ワイヤー固定金具７にはワイヤー固定軸７ｂが固定されている。ワイヤー固定軸７ｂはワイヤー８を巻き付ける円筒形軸部７ｂ１の一端につば７ｂ２を有し、他端にワイヤー連結金具７にねじ込まれたおねじ部７ｂ３を有する。図１６に示すように、ワイヤー固定軸７ｂに一端側が巻き付けられたワイヤー８の先端をワイヤー８に重ねて、重ねた部分を固定用スリーブ８ａをかしめてワイヤー８はワイヤー固定金具７に係止固定されている。
【００９０】
図１１から図１４に示すようにワイヤー８はほぼ見込方向の室内側へ向い、第１の滑車３６に時計回りに巻掛け第１の滑車３６から退出した次に第２の滑車３７に反時計回りに巻掛け、第２の滑車３７から退出した後は連動桿５に係止されている。なお、ここで時計回りに巻掛けるとは図１１において図示矢印イの方向にワイヤー８が移動する際に滑車３６が時計回りに回転するように巻掛けることを指している。
【００９１】
本実施例はワイヤー８としては撚線の極細ワイヤーを用いているが、単線のワイヤーでもよく、ナイロン（商品名）糸、細いロープ、チエン、ベルト等巻掛伝動媒体ならば採用できるものである。
【００９２】
図１１から図１４に示すように第１の滑車３６、第２の滑車３７は外部側に向って開口している中空の滑車ケース３８に収容され回転自在に支持されている。
【００９３】
図１８から図２０に滑車ケース３８アセンブリを示す。滑車ケースは一側に有するフランジ３８ａをガイド部材３５の取付枠部３５ｅに当接し、フランジ３８ａの穴を挿通して小ねじ３９をねじ込みガイド部材３５に固定されている。滑車ケース３８はフランジ３８ａと１体の平板の側板３８ｂ、側板３８ｂに対向する側板３８ｃを有する。固定軸５１，５２は側板３８ｂの穴に丁度嵌合する大径軸部５１ａ，５２ａを一端に有する。大径軸部５１ａ，５２ａから縮径した摺動軸部５１ｂ，５２ｂの端部は側板３８ｃに丁度嵌合している。
【００９４】
摺動軸部５１ｂ，５２ｂは夫々左右一対の第１の滑車３６、第２の滑車３７、左右一対の滑車間隔を保つカラー５３，５４、側板３８ｃと第１の滑車３６、第２の滑車３７間の間隔を保つカラー５５，５６が設けてある。第１の滑車３６とカラー５５及び固定軸５１の大径軸部５１ａとの間にはワイヤーガイド５７が支持されている。ワイヤーガイド５７は摺動軸部５１ｂに嵌合している。ワイヤーガイド５７は滑車ケース３８に沿って設けてある。
【００９５】
滑車ケース３８は第１の滑車３６の上部を蔽う天板３８ｅ、滑車３６の周面側側部を蔽う背板３８ｆ、第１の滑車３６、第２の滑車３７の間のワイヤー８の張設部８ｂに沿って張設部８ｂを蔽う斜板部３８ｇを有する。
【００９６】
ワイヤーガイド５７はその側板５７ａの穴５７ｄが摺動軸部５１ｂに嵌合している。側板５７ａは第１の滑車３６の側面に近接している。そこで、後述の作用で示すようにワイヤー８の張力が緩んだ場合でも、ワイヤー８はワイヤーガイド５７の側板５７ａ、天板５７ｂ、背板５７ｃ、滑車ケース３８の斜板３８ｇが第１の滑車３６回りでワイヤー８に近い位置にあるのでワイヤー８が第１の滑車３６から外れ難くなっている。
【００９７】
第２の滑車３７を支持する摺動軸部５２ｂにはワイヤーガイド５８の側板５８ａの穴が嵌合している。ワイヤーガイド５８の他方の側板５８ｄはカラー５６と他の第２の滑車３７の間に挿入されている。側板５８ａ，５８ｄ間は背板５８ｂで結ばれている。
【００９８】
背板５８ｂは第２の滑車３７の外周に接近しているため、第２の滑車３７からワイヤー８は外れ難くなっている。
【００９９】
図１９に示すように固定軸５１，５２の端部にねじ込んだ小ねじ５９は第１の滑車３６、第２の滑車３７、固定軸５１，５２、カラー５３〜５６、ワイヤーガイド５７，５８、滑車ケース３８が仕組品として取扱う際に分解してしまうことを防止している。
【０１００】
滑車ケース３８は背板３８ｆに前板３８ｄが板面を接して水平断面コ字形であり、図２０に示すように外方に向って開口している。この開口下方では滑車ケース３８の側板３８ｂ，３８ｃに両端が溶接で固定された基部６１ｃを有するばね掛け６１が設けてある。ばね掛け６１は側板３８ｂ，３８ｃをほぼ二等分する位置にばね掛けピン６１ａが設けてある。ばね掛けピン６１ａは軸線が見込方向を向いた円筒形で、周方向のばね掛け溝６１ｂを有する。
【０１０１】
図１１から図１４に示すように上端がばね掛けピン６１ａのばね掛け溝６１ｂに係止された引張コイルばね６２の下端は円筒形のばね掛けピン６３の周方向に設けたばね掛け溝６３ａに係止されて張設されている。
【０１０２】
図２１から図２３はばね掛けピン６３及びワイヤー８の他端の他部材との連結状態を示している。
【０１０３】
ワイヤー固定金具本体６４には見込方向を向いた上述のばね掛けピン６３が設けてある。ワイヤー固定金具本体６４には上下方向の貫通穴６４ａが設けてある。貫通穴６４ａには調整軸６５がワイヤー固定金具本体６４に対して上下方向に位置を調整可能に挿入されている。調整軸６５は軸心に貫通穴６５ａを有する。ワイヤー８は貫通穴６５ａをゆるく挿通している。ワイヤー８の他端はワイヤー止め６６の中心穴を挿通されワイヤー止め６６をかしめてワイヤー８と一体的としてある。
【０１０４】
ワイヤー固定金具本体６４にねじ込まれた小ねじ６７でもって調整軸６５を圧して調整軸６５はワイヤー固定金具本体６４に固定されている。
【０１０５】
後述のハンドル装置２５に付設したロック装置１３２で連動桿５を下降限度位置に保持し障子２を閉めた状態で調整軸６５を引いてワイヤー８に緩みがない状態として、ワイヤー止め６６に調整軸６５の下端を接した状態で小ねじ６７をねじ込むことにより調整軸６５はワイヤー固定金具本体６４と一体的となり、ワイヤー８の位置はワイヤー８が張設された状態で容易に定まる。
【０１０６】
障子２を開いた状態でロック装置１３２を解除して連動桿５の上昇限度位置において、同様にワイヤー８のワイヤー固定金具本体６４に対する位置を定めることができる。
【０１０７】
図２３に示すようにワイヤー固定金具本体６４は連動桿５に当接固定されている。即ち、ワイヤー固定金具本体６４及び連動桿５を挿通する小ねじ６８は連動桿５の背部に嵌合しているステンレス鋼製の裏板６９にねじ込まれている。
【０１０８】
（連動桿中間部とコーナードライブの連結具）
図２４から図２６は連動桿５とコーナードライブ７０との連結部を示す。図２４に示すように連動桿５とコーナードライブ７０との間には平面で見てコ字形のジョイント材７１が設けてある。ジョイント材７１のウエブは連動桿５に当接している。該ウエブを挿通する小ねじ７２は連動桿５の裏に嵌め込まれた裏板７３にねじ込まれている。ジョイント材７１のフランジ部は方立１１Ａの板材１１ｐ、１１ｃに設けた縦方向に長い長穴１１ｐ１，１１ｃ１を挿通して外部側へ突出している。長穴１１ｐ１，１１ｃ１の長さは連動桿５の上下動に伴って上下動するジョイント材７１の移動範囲分だけ設けてある。ジョイント材７１にはワイヤー固定ブロック７４が溶着されている。上記において、ジョイント材７１はステンレス鋼製、ワイヤー固定ブロック７４は砲金製である。
【０１０９】
ワイヤー固定ブロック７４には上下方向の貫通穴７４ａが設けてある。貫通穴７４ａには調整軸７５がワイヤー固定ブロック７４に対して上下方向に位置を調整可能に挿入されている。調整軸７５は軸心に貫通穴７５ａを有する。ワイヤー８０は貫通穴７５ａをゆるく挿通している。ワイヤー８０の上端（一端）はワイヤー止め７６の中心穴を挿通されワイヤー止め７６をかしめてワイヤー８０と一体的としてある。
【０１１０】
ワイヤー固定ブロック７４にねじ込まれた小ねじ７７でもって調整軸７５を圧して調整軸７５はワイヤー固定ブロック本体７４に固定されている。
【０１１１】
障子２を閉めた状態で連動桿５が下降限度位置にあるとき、ジョイント材７１、ワイヤー固定ブロック７４は下降限度位置にある。この状態で、且つ後述のラッチが障子２をロックしている状態においてワイヤー８０に緩みがない状態としてワイヤー止め７６に調整軸７５の上端を接した状態で小ねじ７７をねじ込むことにより調整軸７５はワイヤー固定ブロック７４と一体となり、ワイヤー８０の位置はワイヤー８０が張設された状態で容易に定まる。
【０１１２】
上述したようにワイヤー８は方立１１Ａの室内側をとおり、ワイヤー８０は方立１１Ａの見込方向の中間部をとおるようにこれらを結合するオフセット部材としてジョイント材７１が設けてある。
【０１１３】
（コーナードライブ）
図２７から図２９はコーナードライブを示す。前述した垂下するワイヤー８０は滑車８１に９０度巻き掛けられて下枠１３に沿って延びている。
【０１１４】
滑車８１を回転自在に支持する丸軸の固定軸８２は見込方向を向いている。固定軸８２は溝形のワイヤーガイド８３ａのフランジに両端が嵌合し支持されている。ワイヤーガイド８３ａのウエブに溶接して固定された取付ケース８３ｂは方立の突条１１ｄに当接している。取付ケース８３ｂ部分は小ねじ８４により方立１１Ａに固定されている。ワイヤーガイド８３ａと、取付ケース８３ｂで取付ブラケット８３を構成している。取付ケース８３ｂは図２７に示すようにＬ形をしており、水平方向のフランジは下枠１３に小ねじ８５により固定されている。
【０１１５】
ワイヤーガイド８３ａはそのフランジが滑車８１の端面に接し、そのウエブがワイヤー８０の滑車８１への巻掛け部分の一部に接近している。また、取付ケース８３ｂの下枠１３への取付側はワイヤ８０の滑車８１への巻掛け部分に接近している。これらによってワイヤー８０が滑車８１から外れないようになっている。
【０１１６】
ワイヤー８０の他端は小ねじ８６に巻き付けてある。小ねじ８６はジョイント板８７、第２の連動桿９５（後述）を挿通して裏板８８にねじ込まれている。ジョイント板８７と裏板８８でもって下枠１３に沿って移動自在に設けた連動桿９５を挟持して小ねじ８９をジョイント板８７、連動桿９５を挿通して裏板８８に固定してある。なお、連動桿９５の形状は連動桿５と同様な断面をしている。
【０１１７】
（ラッチ装置）
図４に示すラッチ２０回りにはラッチ装置２０Ｒが設けてある。ラッチ２０は下框２３に設けられ、下框２３の中央に位置する。
【０１１８】
図３０から図３３にラッチ装置２０Ｒを示す。図３３に示すように下枠１３の付加下枠１３Ｂの条溝１３ｃには直動案内１３ｄが嵌合している。直動案内１３ｄの底板１３ｄ１は条溝１３ｃの底板１３ｅに接している。直動案内１３ｄの底板１３ｄ１に当接するばね固定座９２及び底板１３ｄ１を挿通して小ねじ９３が下枠１３の底板１３ｅにねじ込まれている。
【０１１９】
図３１に示すようにばね固定座９２には、ばね掛け９２ａが設けてある。ばね掛け９２ａに一端が係止され、他端がばね掛け９４ａに係止されて引張コイルばね９６が張設してある。ばね掛け９４ａを有するばね固定具９４の座部９４ｂは連動桿９５に当接し、座部９４ｂを挿通して小ねじ９７が連動桿９５を挿通して連動桿９５の下面に接する裏板９１にねじ込まれている。
【０１２０】
連動桿９５は直動案内１３ｄの上部の広幅Ｔ溝１３ｄ２に移動自在に嵌合している。連動桿９５の幅方向の中間の平板部９５ａは該Ｔ溝１３ｄ２の上方へ向っての開口部１３ｄ３に丁度嵌合している。開口部１３ｄ３から平板部９５ａは外部へ直動案内１３ｄの上面よりも少しく上に出ている。
【０１２１】
図３２に示すように、連動桿９５の平板部９５ａにラッチ受け１０１が当接し、ラッチ受け１０１の見込方向に長い長穴１０１ａ及び連動桿の平板部９５ａを挿通して連動桿９５の背部に嵌合当接している裏板９８に小ねじ９９がねじ込まれている。従って、ラッチ受け１０１は見込方向に位置を調節可能に連動桿９５に固定できる。
【０１２２】
図３０、図３１、図３２は障子２が閉じられている状態におけるラッチ装置を示すものである。図３０、図３１ではラッチ受け１０１、連動桿９５は左行端にある。
【０１２３】
ラッチ２０はラッチケース２０ａ、ラッチ爪２０ｂ、圧縮コイルばね２０ｃを有する。ラッチケース２０ａの背板２０ａ１にはラッチ爪２０ｂの軸部２０ｂ１が移動自在に嵌合している。軸部２０ｂ１の下端は拡径されてばね座２０ｂ２となっており、ラッチケース２０ａ内で上下方向に移動自在である。ばね座２０ｂ２よりも縮径した爪部２０ｂ３がばね座２０ｂ２に対して連設されている。ラッチケース２０ａの下端板は爪部２０ｂ３が上下動自在に案内される穴２０ａ２を有する。
【０１２４】
ラッチケース２０ａ内において軸部２０ｂ１には圧縮コイルばね２０ｃが縮設してある。これによってラッチ爪２０ｂは下方に付勢されており、上方へ向う推力により上方へ向う。
【０１２５】
図３１に示すようにラッチケース２０ａは障子２の下框２３の外周材２３ｃの一部を削除した取付穴２３ｄに入っている。取付穴２３ｄの縁において外周材２３ｃに取付板１０２が当接する。取付板１０２にはラッチケース２０ａの胴部の嵌入する穴１０２ａが設けてある。外周材２３ｃを挿通して皿小ねじ１０３が取付板１０２にねじ込まれる。また、ラッチケース２０ａの胴部下端に設けた取付フランジ２０ａ３を挿通して皿小ねじ１０４が取付板１０２にねじ込まれている。
【０１２６】
図３２に示すようにラッチ受け１０１に障子２が閉められた位置でラッチ爪２０ｂを係止する係止面１０１ｂが設けてある。ラッチ爪２０ｂは図３２に示すように逆止可能に先端の背部２０ｂ４が斜設されている。障子２が開いて下框２３が外部側にある状態から障子２が閉るとラッチ爪２０ｂの背部２０ｂ４が接してばね２０ｃのばね力に抗してラッチ爪２０ｂが押し上げられるようにラッチ受け１０１にはカム面１０１ｃが設けてある。カム面１０１ｃの終端はカムトップ１０１ｄである。カムトップ１０１d続いて室内側へ向ってゆるく下る導入面１０１ｅが設けてある。
【０１２７】
図３０に示すように係止面１０１ｂ、カム面１０１ｃ、カムトップ１０１ｄ、導入面１０１ｅはラッチ受け１０１の先端側の左端に設けてある。従って、障子２が自然風力換気窓として作動している際は、作用の説明で明らかに示されるがラッチ受け１０１は図３０の位置から右行しており、仮に強風で障子２が閉っても、ラッチ受け１０１とラッチ２０のラッチ爪２０ｂは係合し得ないので、自然風力換気窓としての機能はそのまま維持される。
【０１２８】
（ばね力）
サブアーム引寄せ装置６の引張りコイルばね（以下、単にばねという）６２とラッチ装置２０Ｒに設けた引張コイルばね（以下、単にばねという）９６のばね力についてのべる。図１１に示すように障子２が全開している際にはばね６２のばね力は連動桿5を介して加わる抵抗に抗して縮んでいる。ばね６２が縮むと、第１の滑車３６とサブアーム４間のワイヤー８は張力なくほぼ直線状、またはわずかにたるんでいる状態である。このとき、連動桿5、ワイヤー８０、連動桿９5及びこれらの連結部材を介してばね固定具９４は図３１において右行端まで引かれ、ばね９６は伸長している。このとき、下枠１３に平行な方向において、ラッチ２０とラッチ受け１０１は係合できない位置に離れる必要があり、ばね６２と９６のばね力はこの必要を満たす大きさである。もちろん連動桿5には後述のハンドル装置の抵抗を加えた抵抗が加わるものであり、ばね６２のばね力はばね９６のばね力よりもはるかに大きい。
【０１２９】
ばね９６のばね力はワイヤー８に張力が加えられていない状態（後述のハンドル装置により連動桿5が引き下げられた下降限度位置に位置しているとき）で連動桿９５を引いてワイヤー８０に張力を与えることができるだけで足りる。
【０１３０】
（ハンドル装置）
図３４から図４０にハンドル装置を示す。方立１１Ａ、ガイド部材３５、カバー１１ｎは窓Ｘよりも下方へ延び床ＦＬに達している。床上に立つ人が操作し易い高さにハンドル装置２５が設けてある。ガイド部材３５は図１５に示したようにカバー１１ｎの内側に沿う取付枠部３５ｅを有する。取付枠部３５ｅには台座１０９が当接し、台座１０９の取付フランジ１０９dを挿通して小ねじ１１２を取付枠部３５ｅにねじ込み、台座１０９は取付枠部３５ｅに固定されている。
【０１３１】
図３９に示すように、台座１０９には見込方向の回動軸１１３が回動自在に設けてある。回動軸１１３の台座１０９から突出した一端１１３ａ側には図３８に示すボス１１１ａが嵌入固定されている（固定方法は図示されない）。ボス１１１ａはハンドル１１１と一体又は一体的にハンドル１１１の根本に設けたブラケット１１１ｂに一体に設けてある。回動軸１１３の他端１１３ｂは拡径されて台座１０９の穴１０９ａに嵌合している。回動軸１１３には平歯車１１４が固定してある。回動軸１１３と平行する台座１０９に設けた固定軸（図示されない）には平歯車１１４と噛合う平歯車１１５が回転自在に嵌合している。
【０１３２】
台座１０９には図３８において右方の取付枠部３５ｅに向って開口している凹部１０９ｂを有している。前述した歯車１１４，１１５は凹部１０９b内に納まっている。歯車１１５はラック１１６と噛み合っている。ラック１１６の歯は上下方向に並列している。ラック１１６が台座１０９内で所定の行程を移動できるように凹部１０９bの開口部に設けた上下方向に長い案内１０９ｃに嵌合している。
【０１３３】
図４０に示すように、ラック１１６に一端１１７ａが固定されたジョイント材１１７の他端１１７ｂは連動桿５に対して近接又は摺動可能な面１１７ｃを有する。ジョイント材１１７の面１１７ｃに直立して設けたピン１１８は連動桿５の長手方向に沿って設けた長穴５ｄに対して上下方向に移動可能に嵌入している。
【０１３４】
ピン１１８は上下に２本ある。ピン１１８が上下に２本（符号１１８ａ，１１８ｂ）あることによってジョイント材１１７が上下に移動する際に長穴５ｄに拘束され、仮にピン１１８が１本だった場合にジョイント材１１７に加わり得る傾動する力が加わらない。
【０１３５】
図３４、図３７の状態（障子閉）では下側のピン１１８ａは連動桿５に設けた長穴５ｄの下端５ｄ１に接するかもしくは近接している。長穴５ｄの上端５ｄ２は図３４、図３７の状態では上側のピン１１８ｂから上方へラック１１６の行程以上離れている。
【０１３６】
ハンドル１１１は障子２をハンドル１１１を用いて閉めた後は、元に戻してカバー１１ｎの１側に設けた上下方向に長いハンドル収納穴１１ｒに、この穴１１ｒの下方を除いて、丁度納まる。この収納穴１１ｒの縁とハンドル１１１の上縁と側縁とは微小隙間（例えば１ミリメートル）を有する。ハンドル１１１が収納穴１１ｒに収納されている状態ではハンドル１１１の外部に面する面はカバー１１ｎの側面からわずかに外部へ出ている。
図３４に示すように障子２がハンドル装置により閉じられている状態ではハンドル１１１の先端に設けた受け金１１１ｃは上方に向って開口した凹部１１１ｄを有する。凹部１１１ｄは人の指が挿入できる大きさを有する。この凹部１１１ｄの縁にはノッチ１１９が係合している。これによってハンドル１１１は収納状態が保たれている。ノッチ１１９が上方へ向って後退するとハンドル１１１は手で回し得るが手掛りがない。なお、ノッチ１１９側の構成は後述する。
【０１３７】
（ハンドル）
図４１に示すように主たる材料がステンレス鋼のハンドル１１１は先にのべたように根本側にブラケット１１１ｂを有し、ブラケット１１１ｂにボス１１１ａを有する。ブラケット１１１ｂに一体に溶着されたハンドル柄１１１ｅは断面が中空の方形である。ハンドル柄１１１ｅは根本側でボス１１１aを越えて下方に向って延長部１１１ｆを設けてある。
【０１３８】
ハンドル柄１１１ｅの先端に固着されている受け金１１１ｃとハンドル柄１１１ｅに合成樹脂製の手掛け１１１ｇが固定されている。手掛け１１１ｇはハンドル柄１１１ｅに平行な板材１１１ｈからハンドル柄１１１ｅに向って斜設され表面に突条１１１ｉを有する斜板となった手掛り部１１１ｊを有する。突条１１１ｉは図４１の紙面に直交している。受け金１１１ｃの凹部１１１ｄの底面を構成する底板１１１ｋの背面と、ハンドル柄１１１ｅの背面に接してアングル形状の補強材１１１ｎが溶着されている。図４１の紙面に平行な板材が凹部１１１ｄの両側で板材１１１ｈに固定され凹部１１１ｄは図４１において上方に向ってのみ開口している。
【０１３９】
（ハンドル背部のカバー部材）
図３４から図３５に示すようにカバー１１ｎに設けたハンドル１１１を収納するハンドル収納穴１１ｒの縁にはハンドル１１１を図３６のように下方に回動した際にカバー１１ｎ内が見えないように且つカバー１１ｎ内に異物が入らないようにふさぎ材１４１が設けてある。ふさぎ材１４１はハンドル収納穴１１ｒの縁に沿って開口縁のある箱状である。その底板１４１ａは上側板１４１ｃよりも上方へのび延長部１４１ｂとなっている。この延長部１４１ｂ上にはカバー１１ｎの外部より見える表面に開の字が表示してある。底板１４１ａはプッシュ装置１２１に沿って折曲して下方へ延び下端１４１ｄはボス１１１ａの外周に接している。プッシャー１２２のとおる部分には底板１４１ａに穴１４１ｅが設けてある。ふさぎ材１４１は底板１４１ａに固定された脚部１４１ｆがガイド部材３５の取付枠部３５ｅに接して小ねじ１４２により取り付けられている。
【０１４０】
（プッシュ装置）
図４１、図４２はプッシュ装置１２１を示す。障子２がハンドル装置２５で閉められた状態でノッチ１１９がハンドル先端の受金１１１ｃの縁１１１ｃ１と係合している状態でハンドル１１１はプッシャー１２２に加圧されている。
【０１４１】
プッシャー１２２はガイド部材３５の取付枠部３５ｅに小ねじ１２３により固定されたハウジング１２４の円筒形の穴１２４ａ，１２４ｂにハンドル１１１の移動面内に沿ってハンドル１１１に向って進退可能に設けてある。プッシャー１２２は穴１２４ａに滑合するピストン部１２２ａと穴１２４ｂに滑合して外部へ突出するプランジ部１２２ｂと、後部にばね座１２２ｃを有する。ばね座１２２ｃとハウジング１２４の底板１２４ｄ間には圧縮コイルばね１２５が縮設してある。
【０１４２】
図３４においてノッチ１１９がハンドル１１１先端の受け金１１１ｃの凹部１１１ｄから上昇して受け金１１１ｃの縁１１１ｃ１から離れると、プッシャー１２２は圧縮コイルばね１２５のばね力でハンドル１１１の背部を加圧してハンドル１１１を回動軸１１３を中心にして回動して押し出す。プッシャー１２２のピストン部１２２ａがハウジング１２４の穴１２４ａ，１２４ｂ間の段部１２４ｃに当接してプッシャー１２２は停止する。プッシャー１２２の停止位置においてハンドル１１１の先端の受け金１１１ｃの凹部１１１ｄはカバー１１ｎの外側面よりも人の指を掛け得る程度外側に出ている。
【０１４３】
図３４から図３５に示すようにハンドル１１１がプッシャー１２２で開かれる際は、後述の作用で示すようにハンドル１１１が図３４のようにケース１１ｎ内に収納されている状態における平歯車１１４，１１５間、平歯車１１５とラック１１６間の歯のバックラッシがなくなる範囲であり、ハンドルの回転角は小さい。
【０１４４】
（ロック装置）
図４３から図４６にロック装置が示されている。
【０１４５】
図４５に示すように連動桿５にジョイント材１２６が当接し、ジョイント材１２６及び連動桿５を挿通して小ねじ１２７が連動桿５の背部に当接して設けた裏板１２８にねじ込まれ、ジョイント材１２６と連動桿５は固定されている。ジョイント材１２６は図４５において逆Ｌ形の連動桿５に固定される第１材１２６ａと連動アーム１３１に固定される第２材１２６ｂを小ねじ１２６ｃにて一体的としたものである。ジョイント材１２６には連動アーム１３１の上端が当接し溶接にて固定されている。連動アーム１３１はジョイント材１２６との固定部分から垂下している。
【０１４６】
図４６に示すように連動アーム１３１はロック装置１３２のケース１３３を貫通している。ケース１３３は上下方向に長く水平断面が中空方形で端板１３３ｅを有する。両端板１３３ｅに連動アーム１３１を移動自在に案内する案内穴１３３ａを有する。
【０１４７】
ケース１３３を貫通した後の連動アーム１３１は図４７に示すようにノッチ１１９を保持するノッチケース１３４に取り付けたジョイント材１３５にライナー１３６を介して小ねじ１３７により固定されている。
【０１４８】
ハンドル装置はロック装置を有し、ロック装置にはノッチ装置が付設されている。ここでノッチ装置についてのべておく。
【０１４９】
（ノッチ装置）
図４７から図４９にノッチ装置が示されている。
【０１５０】
ノッチ１１９はノッチケース１３４に上下方向に出入り自在に嵌合しており、図示されないばねで下方へ向って付勢されている。ノッチ１１９の先端はハンドル１１１の受け金１１１ｃが図示矢印ロの方向に移動するとき受け金１１１ｃの縁１１１ｃ１によってノッチ１１９がノッチケース１３４に押し込まれるように斜面１１９ａを有する。受け金１１１ｃの縁１１１ｃ１が斜面１１９ａを通りすぎると、ノッチ１１９はノッチケース１３４から図示されないばねのばね力で受け金１１１ｃの凹部１１１ｄに突入しハンドル１１１を保持する。このときのハンドル１１１の外面とカバー１１ｎの側面はハンドル１１１の外面をやや外側にしてほぼ同一平面上にある。
【０１５１】
図３４、図３５に示すようにハンドル収納穴１１ｒの上縁側には透明アクリル板１４３が設けてある。図３５のようにノッチケース１３４が下降してノッチ１１９がハンドル１１１の凹部１１１ｄに嵌入した状態で、ノッチケース１３４には透明アクリル板１４３を通じて見える「閉」の字が設けてある（図４８参照）。透明アクリル板１４３は図４９に示すようにブラケット１４４でもって取付枠部３５ｅに支持されている。カバー１１ｎには透明アクリル板１４３に一致する位置に透明アクリル板を有する開口１１ｎ２が設けてある。
【０１５２】
（続ロック装置）
図４６に示すように中空のケース１３３はＺ形鋼形の取付座１３８の一方のフランジに小ねじ１３９により固定されている。この固定はケース１３３の側板１３３ｃを挿通してケース１３３内で側板１３３ｃに接する裏板１４５に小ねじ１３９をねじ込んでなる。取付座１３８の他方のフランジはガイド部材３５の取付枠部３５ｅに当接して小ねじ１３７により固定されている。
【０１５３】
プッシュボタン１４０は略正方形の押圧面１４０ａ、押圧面１４０ａを有する部分が固定され押圧面１４０ａよりも小さい正方形のステム１４０ｃ、ケース１３３に壁面に水平方向に移動可能に嵌合し上下方向に中空部が貫通している中空方形のスライド１４０ｄ、スライド１４０ｄの内部に固定されたピン部１４０ｂを有する。ステム１４０ｃはケース１３３の穴１３３ａに滑合している。スライド１４０ｄはケース１３３内にあってケース１３３の対向する前板１３３ｂ、後板１３３ｄに接している。ピン部１４０ｂはスライド１４０ｄの側板１４０ｅの内側面に固定されている。ピン部１４０ｂは側板１４０ｅの穴１４０ｆに嵌入して、側板１４０ｅから突出した側板１４０ｅに対してかしめられた固定部１４０ｂ１を有する。
【０１５４】
裏板１４５に設けた穴１４５ａに大端が挿入されケース１３３の側板１３３ｃに着座した円錐形コイルばね１４６の小端はピン部１４０ｂの固定部１４０ｂ１に挿入され、スライド１４０ｄの側板１４０ｅに接して縮設されている。
【０１５５】
プッシュボタン１４０は指でタッチする押圧面１４０ａがカバー１１ｎの外面からわずかに突出して略同一面となっている。このとき円筒形の長さの短いピン部１４０ｂが連動アーム１３１に設けた上下方向にやや長い長円形の凹部１３１ａに嵌合している。なお、凹部に代えて同形の貫通穴でもよい。障子２が開いているとき、連動アーム１３１は引き延ばされて伸張状態とされた引張コイルばね６２（図１３、図１４参照）のばね力で上方に向って付勢されている連動桿５により引き上げられていて、凹部１３１ａの下側の側面にピン部１４０ｂが丁度接している。
【０１５６】
図４３、図４４の状態ではプッシュボタン１４０はばね１４６に押されて、ピン部１４０ｂが連動アーム１３１の凹部１３１ａに嵌入していて、連動アーム１３１は下降限近くに有り、連動桿５のばね６２による上方への付勢に抗して連動桿５を不動としている。
【０１５７】
プッシュボタン１４０をカバー１１ｎ内に向う方向にばね１４６のばね力に抗して押すと、プッシュボタン１４０は移動してそのピン部１４０ｂは連動アーム１３１の凹部１３１ａから外れる。連動アーム１３１は連動桿５を上方へ付勢しているばね６２（図１３、図１４参照）のばね力によって連動桿５と共に引き上げられる。このとき、連動アーム１３１に固定したノッチケース１３４も連動アーム１３１と共に上昇しノッチ１１９はハンドル１１１から離れる。そして、透明アクリル板１４３を通じて見えていたノッチケース１３４上に設けた文字「閉」はケース１１ｎ内に移動して、ふさぎ材１４１の延長部１４１ｂに設けた開の字は透明アクリル板１４３を通じて見える。これによって、障子２が閉の状態と開の状態を知ることができる。
【０１５８】
（ハンドル装置下方のふさぎ装置）
図５０、図５１にふさぎ装置を示す。本例ではハンドル１１１は垂直方向の位置から、カバー１１ｎから先端が室内側に向って離れる方向に回動する。ハンドル１１１は回動軸１１３に対してカバー１１ｎの内側にオフセットした位置にある。そこで、ハンドル１１１を先端が下方へ向って回動する際にハンドル柄１１１ｅはハンドル１１１がカバー１１ｎの開口部であるハンドル収納穴１１ｒ（図３４から図３６参照）内に納まった状態におけるハンドル後端よりも、ハンドル収納穴１１ｒは少なくともハンドル柄１１１ｅがカバー１１ｎ内に入り込むだけハンドル収納穴１１ｒの下縁１１ｒ１を設ける必要がある。このハンドル収納穴１１ｒの下縁１１ｒ１付近はハンドル１１１をハンドル収納穴１１ｒ内に収納した状態では開放状態である。そこで、ふさぎ装置が設けてある。
【０１５９】
図５０、図５１に示すようにガイド部材３５の取付枠部３５ｅにはアングル鋼形のブラケット１４８のフランジが当接し小ねじ１４７により固定されている。ブラケット１４８にピン１５０によりふさぎ１５１がブラケット１４８に揺動可能に取り付けてある。ピン１５０はカバー１１ｎの裏面に接近して設けてある。ふさぎ１５１に植設されたばね取付軸１５２にはねじりコイルばね１５３が挿入されている。ばね１５３の一端はブラケット１４８に植設したばね受けピン１５４に接し、ばね１５３の他端はふさぎ１５１の背部に接している。ふさぎ１５１の表面１５１ａはふさぎ１５１がハンドル収納穴１１ｒの下部を覆った状態では、ハンドル１１１の外面とほぼ同一面にある。この同一面にふさぎ１５１を保つためにふさぎ１５１には当り面１５１ｂが設けてある。あたり面１５１ｂはハンドル収納穴の下縁１１ｒ１の内部側の面１１ｎ１に接する。
【０１６０】
上記においてハンドル柄１１１ｅと同様にふさぎ１５１はステンレス鋼製である。
ハンドル１１１がハンドル収納穴１１ｒ内に収容されている際にはハンドル１１１、ふさぎ１５１の外面は一平面上に有りケース１１ｎからわずかに突出している。従って、体育館その他、人が多数出入りする際に壁面側に人がぶつかるおそれのある締りハンドルのような突出物がない。また、意匠上もすぐれた外観を呈する。また、ケース１１ｎはハンドルの開閉にかかわらず各ふさぎ材でふさがれているのでケース内の装置は汚れ難く、また、ケース内に誤って物を落とすことがないので保守にすぐれる。
【０１６１】
図３４においてハンドル１１１がハンドル収納穴１１ｒに収納され垂直状態にあるとき、ふさぎ１５１はばね１５３のばね力で回動してハンドル収納穴１１ｒの下方を塞いでいる。尚、この状態でふさぎ１５１をハンドル収納穴１１r内に向けて押しても、ハンドル１１１下端の突起１１１pがふさぎ１５１の上端に当たり、ふさぎ１５１がハンドル収納穴１１r内に回動することはない。
ロック装置１３２を解除して図３５のようにハンドル１１１上部の受金１１１ｃが外部に出た後ハンドル１１１をカバー１１ｎから外方へ図５０において時計回りに回動すると本例では垂直位置から角θ＝１１２.５度回動した位置でふさぎ１５１の上縁にハンドル柄１１１ｅが接する。
【０１６２】
更にハンドル１１１を回動するとハンドル柄１１１ｅはばね１５３のばね力に抗してふさぎ１５１をピン１５０を中心にしてカバー１１ｎ内へ向って図５０において反時計回りに回動する。このときふさぎ１５１の上縁はハンドル柄１１１ｅに圧接して滑る。
【０１６３】
ここから、ハンドル１１１を反時計回りに回動するとふさぎ１５１の上縁はハンドル柄１１１ｅ上を滑り乍、ふさぎ１５１はばね１５３のばね力でピン１５０を中心に時計回りに回動し、当り面１５１ｂがカバー１１ｎの内部側の面１１ｎ１に当って停止する。
【０１６４】
上記動作中ふさぎ１５１はハンドル１１１の下方に生じているハンドル収納穴１１ｒ下方の開口部を終始閉止している。
【０１６５】
（全体作用のまとめ）
図１のようにハンドル装置２５による障子２が閉った状態ではワイヤー８はサブアーム４を室内側に引寄せばね６２は伸長している。連動桿５は下降限度位置にある。図３０、図３２に示すようにラッチ２０はばね９６（図４参照）のばね力で左行したラッチ受け１０１と係合しており、障子２は外方への移動を阻止されている。
【０１６６】
図４４、図４７に示すように連動桿５と共に下降した連動アーム１３１の穴１３１ａにはロック装置のプッシュボタン１４０のピン部１４０ｂが嵌合しており、ばね６２のばね力で上昇しようとする連動アーム１３１をロックしている。ノッチ１１９はハンドル１１１の先端と係合しハンドル１１１はカバー１１ｎに沿ってカバー１１ｎ内に納められている。
【０１６７】
障子２を開くにはプッシュボタン１４０をばね１４６のばね力に抗して押すと、ケース１３３（図４６参照）に案内されたプッシュボタン１４０、のピン部１４０ｂは連動アーム１３１の穴１３１ａから抜ける。すると、ばね６２はラッチ受け１０１を付勢しているばね９６のばね力、及び連動桿５，９５、連動アーム１３１とこれらの案内部材との摺動抵抗及びコーナードライブ７０の滑車の回転抵抗等に抗して縮み、連動桿５、連動アーム１３１を引き上げる。このとき、連動桿５はその長穴５dがラック１１６に固定したジョイント材１１７に設けたピン１１８対（駒）に対して作用することなく上昇し、その長穴５dの下端は下側のピン１１８aに近接する。ノッチ１１９はハンドル１１１から外れる連動桿９５、ラッチ受け１０１を図４の連窓の左側の窓において右行させる。ハンドル１１１はプッシュ装置１２１のプッシャー１２２に押され図３５のように先端側がカバー１１ｎからとび出す。このとき、平歯車１１４，１１５、ラック１１６の歯の噛み合いのバックラッシは歯の両側で入れ替る。
上記によって、ラッチ２０とラッチ受け１０１は外れる。自然風力換気窓となっている窓の障子２はメインアーム３、サブアーム４に支持されて障子２の自重で外部側へ開く。竪枠１１、方立１１Ａにピン３２ｂでもって下端が枢着されているサブアーム４はピン３２ｂを中心にして外方へ回動し、サブアーム４に結合してあるワイヤー８を引く。ワイヤー８は滑車３６，３７のガイドにより円滑に滑車３６から見込方向へ移動する。このとき、障子２が仮に窓枠１側に固着していたとしても、緩衝ストッパー１５が閉っている障子２を開く方向に付勢するので障子２は容易に開く。
【０１６８】
障子２が開いた状態では自然風力換気窓として障子２に加わる風力の消長に従って障子２は開度を変える。障子２の開度が小さくなるときは滑車３６とワイヤー連結金具７間のワイヤー８は押されて、矢印イの方向に進み、滑車３６を時計方向、滑車３７を反時計方向に回転させて、滑車３７から下方に垂下している部分は下方に向う。そして、ワイヤー８は調整軸６５の貫通穴６５ａを緩く挿通しているため、抵抗少く下方へ向いワイヤー止め６６は調整軸６５の下端から下方へ離れる。
図２のように障子２が開いた状態から障子２を閉めるには図３５のようにカバー１１ｎから先端が外へ出ているハンドル１１１を回動する。ハンドル１１１を図３５において反時計方向に回動すると、平歯車１１４はハンドル１１１と共に回転して平歯車１１５を回動する。平歯車１１５はラック１１６を下方へ向って移動させる。ラック１１６と共に連動アーム１３１、連動桿５はばね６２のばね力に抗して下降し、連動桿５の上端に結合したワイヤー８の一端を引き下げる。ワイヤー８の他端は室内側へ向って移動し、サブアーム４を引き障子２は閉まる。このとき緩衝ストッパー１５は障子２の竪框２１に押されて室内側へ回動する。
連動桿５が下降するとき連動桿５に結合されているワイヤー８０はばね９６のばね力で引かれて張力を保っている。そしてラッチ受け１０１は図４においてばね９６のばね力で左行してラッチ２０と係合可能な位置に来る。そこで障子２が閉るとラッチ２０とラッチ受け１０１は係合する。
【０１６９】
障子２が閉った後に、ハンドル１１１を元に戻すと平歯車１１４，１１５を介してラック１１６は上昇する。このとき、平歯車１１４，１１５、ラック１１６間のバックラッシはハンドル１１１を元に戻す方向のときに歯が移動する方向の背部側に生じている。そして、ラック１１６と共に上昇するピン１１８は連動桿５の長穴５d中を上昇して、下側のピン１１８aから長穴５dの下端は遠のく。ハンドル１１１は連動桿５、連動アーム１３１と共に降下したノッチ１１９に係止されハンドル１１１はカバー１１ｎのハンドル収納穴１１ｒに納まる。
【０１７０】
実施例はばね６２を第１の連動桿５の上端位置に設けたが、ばね６２は連動アーム１３１と第１の連動桿５の何れの個所に設けてもよい。
【０１７１】
ワイヤー８０への張力を加えるばね９６は、横枠に沿って設けられればよく、例えばワイヤー８０の端部を止めている小ねじ８６をばね９６で引張ってもよい。
【０１７２】
実施例は自然風力換気窓についてのべたが一端が障子の竪框に枢着され他端が窓枠の竪枠に直接、又は竪枠に設けたすべり子に枢着されたアームを有する各種の突出し窓に適用可能である。
【図面の簡単な説明】
【０１７３】
【図１】窓を見込方向の垂直面で切った縦断面図である（障子閉）。
【図２】窓を見込方向の垂直面で切った縦断面図である（障子開）。
【図３】窓の水平断面図である。
【図４】窓を内部側より見る正面図である。
【図５】壁面を室内側より見る正面図である。
【図６】障子を閉めた状態における方立の水平断面図である。
【図７】障子を閉めた状態における窓を見込方向の垂直角で切る縦断面図である。
【図８】緩衝ストッパーの側面図である。
【図９】緩衝ストッパーの正面図である。
【図１０】緩衝ストッパーの平面図である。
【図１１】サブアーム引寄せ装置の側面図である（障子開）。
【図１２】サブアーム引寄せ装置の正面図である（障子開）。
【図１３】サブアーム引寄せ装置の側面図である（障子閉）。
【図１４】サブアーム引寄せ装置の正面図である（障子閉）。
【図１５】方立位置における水平断面図である。
【図１６】ワイヤー連結金具を示す側面図である。
【図１７】図１１の一部の平面図である。
【図１８】滑車ケースの側面図である。
【図１９】図１８の正面図である。
【図２０】図１９の平面図である。
【図２１】連動桿上部と滑車装置の下部の連結部を示す側面図である。
【図２２】図２１の正面図である。
【図２３】図２１の平面図である。
【図２４】連動桿下部とコーナードライブの連結部の平面図である。
【図２５】図２４の側面図である。
【図２６】図２４の正面図である。
【図２７】コーナードライブの正面図である。
【図２８】図７の平面図である。
【図２９】図７の側面図である。
【図３０】ラッチ装置の平面図である。
【図３１】ラッチ装置の室内側より見る正面図である。
【図３２】図３０のＡ−Ａ断面図である。
【図３３】図３１のＢ−Ｂ断面図である。
【図３４】ハンドル装置の正面図である（障子閉鎖状態）。
【図３５】ハンドル装置の正面図である（障子閉→開）。
【図３６】ハンドル装置の正面図である（障子開→閉）。
【図３７】ハンドル装置の側面図である（障子閉鎖状態）。
【図３８】ハンドル装置のハンドル操作部を示す正面図である。
【図３９】図３８の側面図である。
【図４０】図３８の平面図である。
【図４１】プッシュ装置の一部断面で示す側面図である。
【図４２】プッシュ装置の平面図である。
【図４３】ロック装置の側面図である。
【図４４】ロック装置の正面図である。
【図４５】図４４のＣ−Ｃ断面図である。
【図４６】図４４のＤ−Ｄ拡大断面図である。
【図４７】ノッチ部を示す正面図である。
【図４８】図４７の側面図である。
【図４９】図４８の平面図である。
【図５０】ふさぎ装置の正面図である。
【図５１】ふさぎ装置の平面図である。
【図５２】模式的に示す自然風力換気窓の見込方向縦断面図である。
【図５３】模式的に示す自然風力換気窓の見込方向縦断面図である。
【符号の説明】
【０１７４】
Ａ，Ｂ…水平距離
ＣＧ…障子の重心
Ｇ…ガラス  
ＦＬ…床
ＰＬ…垂直平面  Ｐ１，Ｐ２…荷重
Ｌ１，Ｌ２…サブアームの長さ
Ｍ１，Ｍ２，Ｍ３，Ｍ４…モーメント
Ｓ，Ｓ２…空間  
Ｗ…重量  ＷＡ…壁面
Ｘ…窓
α１，α２，θ１，θ２…角
１…窓枠
２…障子
３…メインアーム  ３ａ…メインアーム障子側支点  ３ｂ…メインアーム枠側支点
４…サブアーム  ４ａ…サブアーム障子側支点  ４ｂ…サブアーム枠側支点  
５…連動桿  ５ａ…ガイド部  ５ｂ…取付部  ５ｄ…長穴  ５ｄ１…下端  ５ｄ２…上端
６…サブアーム引寄せ装置  
７…ワイヤー連結金具  ７ａ…小ねじ  ７ｂ…ワイヤー固定軸  ７ｂ１…円筒形軸部  ７ｂ２…つば  ７ｂ３…おねじ部
８…ワイヤー  ８ａ…固定用スリーブ  ８ｂ…張設部
１１…竪枠  １１Ａ…方立  １１ａ…内周材  １１ｂ…条溝  １１ｃ…板材    １１ｃ１…長穴  １１ｄ…突条  １１ｅ…条溝  １１ｆ…板材  １１ｇ…欠角条溝  １１ｈ…中空部  １１ｉ…突条  １１ｊ…条溝  １１ｋ…嵌合縁  １１ｋ１…突条  １１ｋ２…傾斜部  １１ｎ…カバー  １１ｎ１…内部側の面  １１ｎ２…開口  １１ｐ板材  １１ｐ１…長穴  １１ｑ…縁  １１ｒ…ハンドル収納穴  １１ｒ１…下縁
１２…上枠  １２ｂ…戸当り材  １２ｃ，１２ｄ…条溝  １２ｅ…外側材  １２ｆ…条溝
１３…下枠  １３Ａ…下枠本体  １３ａ…嵌合部  １３Ｂ…付加下枠  １３ｂ…条溝  １３ｃ…条溝  １３ｄ…直動案内  １３ｄ１…底板  １３ｄ２…広幅Ｔ溝  １３ｄ３…開口部  １３ｅ…底板  
１４…メインアーム取付具
１５…緩衝ストッパー  １５ａ…小ねじ  １５ｂ…枠側ブラケット  １５ｂ１…穴  １５ｃ…軸  １５ｄ…ねじりコイルばね  １５ｅ…アーム  １５ｆ…戸当りローラ
１７…ピン
１８…メインアーム枠側取付具  １８ａ…ストッパー
２０…ラッチ  ２０ａ…ラッチケース  ２０ａ１…背板  ２０ａ２…穴  ２０ａ３…取付フランジ  ２０ｂ…ラッチ爪  ２０ｂ１…軸部  ２０ｂ２…ばね座  ２０ｂ３…爪部  ２０ｂ４…背部  ２０ｃ…圧縮コイルばね  ２０Ｒ…ラッチ装置
２１…竪框  ２１ａ…内周材  ２１ｂ…外周材  ２１ｃ…内面材  ２１ｄ…外側内面材  ２１ｅ…中空部  ２１ｆ…パッキン当り部
２２…上框  ２２ａ…内面材  ２２ｂ…外側内面材  ２２ｄ…外側材
２３…下框  ２３ａ…内面材  ２３ｂ…外側材  ２３ｃ…外周材  ２３ｄ…取付穴
２５…ハンドル装置  
２６…ピン  
２８…サブアーム障子側取付具  ２８a…小ねじ
３１…ピン
３２…サブアーム枠側取付具  ３２ａ…小ねじ  ３２ｂ…ピン
３４…ストッパー
３５…ガイド部材  ３５ａ…ガイド溝  ３５ｂ…突条  ３５ｃ…条溝  ３５ｄ…ガイド条材  ３５ｅ…取付枠部  
３６…第１の滑車
３７…第２の滑車
３８…滑車ケース  ３８ａ…フランジ  ３８ｂ…側板  ３８ｃ…側板  ３８ｄ…前板  ３８ｅ…天板  ３８ｆ…背板  ３８ｇ…斜板部
３９…小ねじ
４０…ガラス溝
４１…ガラス台  
４２…シール材
４６…パッキン
４７…パッキン
４９…パッキン
５１…固定軸  ５１ａ…大径軸部  ５１ｂ…摺動軸部
５２…固定軸  ５２ａ…大径軸部  ５２ｂ…摺動軸部
５３…カラー
５４…カラー
５５…カラー
５６…カラー
５７…ワイヤーガイド  ５７ａ…側板  ５７ｂ…天板  ５７ｃ…背板部  ５７ｄ…穴
５８…ワイヤーガイド  ５８ａ…側板  ５８ｂ…背板  ５８ｃ…下板  ５８ｄ…側板
５９…小ねじ
６１…ばね掛け  ６１ａ…ばね掛けピン  ６１ｂ…ばね掛け溝  ６１ｃ…基部
６２…引張コイルばね
６３…ばね掛けピン  ６３ａ…ばね掛け溝
６４…ワイヤー固定金具本体  ６４ａ…貫通穴
６５…調整軸  ６５ａ…貫通穴
６６…ワイヤー止め
６７…小ねじ
６８…小ねじ
６９…裏板
７０…コーナードライブ
７１…ジョイント材  
７２…小ねじ
７３…裏板
７４…ワイヤー固定ブロック  ７４ａ…貫通穴  ７４ａ１…大径部
７５…調整軸  ７５ａ…貫通穴  
７６…ワイヤー止め
７７…小ねじ
７８…シール材
７９…小ねじ
８０…ワイヤー
８１…滑車
８２…固定軸
８３…取付ブラケット  ８３ａ…ワイヤーガイド  ８３ｂ…取付ケース
８４…小ねじ
８５…小ねじ
８６…小ねじ
８７…ジョイント板
８８…裏板
８９…小ねじ
９１…裏板
９２…ばね固定座  ９２ａ…ばね掛け  ９２ｂ…座部
９３…小ねじ
９４…ばね固定具  ９４ａ…ばね掛け  ９４ｂ…座部
９５…連動桿  ９５ａ…平板部
９６…引張コイルばね
９７…小ねじ
９８…裏板
９９…小ねじ
１０１…ラッチ受け  １０１ａ…長穴  １０１ｂ…係止面  １０１ｃ…カム面  １０１ｄ…カムトップ  １０１ｅ…導入部
１０２…取付板  １０２ａ…穴
１０３…皿小ねじ
１０４…皿小ねじ
１０９…台座  １０９ａ…穴  １０９ｂ…凹部  １０９ｃ…案内  １０９d…取付フランジ  １１０ａ…ボス
１１１…ハンドル  １１１ａ…ボス  １１１ｂ…ブラケット  １１１ｃ…受金  １１１ｃ１…縁  １１１ｄ…凹部  １１１ｅ…ハンドル柄  １１１ｆ…延長部  １１１ｇ…手掛け  １１１ｈ…板材  １１１ｉ…突条  １１１ｊ…手掛り部  １１１ｋ…底板  １１１ｎ…補強材  １１１p…突起
１１２…小ねじ
１１３…回動軸  １１３ａ…一端  １１３ｂ…他端
１１４…平歯車
１１５…平歯車
１１６…ラック
１１７…ジョイント材（直動部材）  １１７ａ…一端  １１７ｂ…他端  １１７ｃ…面  １１７ｄ…ガイドブロック
１１８…ピン  １１８ａ，１１８ｂ…ピン
１１９…ノッチ  １１９ａ…斜面
１２１…プッシュ装置
１２２…プッシャー  １２２ａ…ピストン部  １２２ｂ…プランジ部  １２２ｃ…ばね座
１２３…小ねじ
１２４…ハウジング  １２４ａ，１２４ｂ…穴  １２４ｃ…段部  １２４ｄ…底板
１２５…圧縮コイルばね
１２６…ジョイント材  １２６ａ…第１材  １２６ｂ…第２材  １２６ｃ…小ねじ
１２７…小ねじ
１２８…裏板
１３１…連動アーム  １３１ａ…凹部  
１３２…ロック装置  
１３３…ケース  １３３ａ…案内穴  １３３ｂ…前板  １３３ｃ…側板  １３３ｄ…後板  １３３ｅ…端版
１３４…ノッチケース
１３５…ジョイント材
１３６…ライナー
１３７…小ねじ
１３８…取付座
１３９…小ねじ
１４０…プッシュボタン  １４０ａ…押圧面  １４０ｂ…ピン部  １４０ｂ１…固定部  １４０ｃ…ステム  １４０ｄ…スライド  
１４０ｅ…側板  １４０ｆ…穴
１４１…ふさぎ材  １４１ａ…底板  １４１ｂ…延長部  １４１ｂ１…文字開  １４１ｃ…上側板  １４１ｄ…下端  １４１ｅ…穴  １４１ｆ…脚部
１４２…小ねじ
１４３…透明アクリル板
１４４…ブラケット
１４５…裏板  １４５ａ…穴
１４６…円錐形コイルばね
１４７…小ねじ
１４８…ブラケット
１４９…小ねじ
１５０…ピン
１５１…ふさぎ  １５１ａ…表面  １５１ｂ…当り面
１５２…ばね取付軸
１５３…ねじりコイルばね
１５４…ばね受けピン
【図１】
0005053763.tif 000002
【図２】
0005053763.tif 000003
【図３】
0005053763.tif 000004
【図４】
0005053763.tif 000005
【図５】
0005053763.tif 000006
【図６】
0005053763.tif 000007
【図７】
0005053763.tif 000008
【図８】
0005053763.tif 000009
【図９】
0005053763.tif 000010
【図１０】
0005053763.tif 000011
【図１１】
0005053763.tif 000012
【図１２】
0005053763.tif 000013
【図１３】
0005053763.tif 000014
【図１４】
0005053763.tif 000015
【図１５】
0005053763.tif 000016
【図１６】
0005053763.tif 000017
【図１７】
0005053763.tif 000018
【図１８】
0005053763.tif 000019
【図１９】
0005053763.tif 000020
【図２０】
0005053763.tif 000021
【図２１】
0005053763.tif 000022
【図２２】
0005053763.tif 000023
【図２３】
0005053763.tif 000024
【図２４】
0005053763.tif 000025
【図２５】
0005053763.tif 000026
【図２６】
0005053763.tif 000027
【図２７】
0005053763.tif 000028
【図２８】
0005053763.tif 000029
【図２９】
0005053763.tif 000030
【図３０】
0005053763.tif 000031
【図３１】
0005053763.tif 000032
【図３２】
0005053763.tif 000033
【図３３】
0005053763.tif 000034
【図３４】
0005053763.tif 000035
【図３５】
0005053763.tif 000036
【図３６】
0005053763.tif 000037
【図３７】
0005053763.tif 000038
【図３８】
0005053763.tif 000039
【図３９】
0005053763.tif 000040
【図４０】
0005053763.tif 000041
【図４１】
0005053763.tif 000042
【図４２】
0005053763.tif 000043
【図４３】
0005053763.tif 000044
【図４４】
0005053763.tif 000045
【図４５】
0005053763.tif 000046
【図４６】
0005053763.tif 000047
【図４７】
0005053763.tif 000048
【図４８】
0005053763.tif 000049
【図４９】
0005053763.tif 000050
【図５０】
0005053763.tif 000051
【図５１】
0005053763.tif 000052
【図５２】
0005053763.tif 000053
【図５３】
0005053763.tif 000054